(57)【要約】【課題】電子装置に関し、構造が簡単で、かつ、使い勝手も良好な上に、シールド性能を向上させることを目的とする。【解決手段】装置筐体１内の素子装着部２への作業用開口３からの電磁波放出を該作業用開口３を閉塞する蓋部材４により防止する電子装置であって、  前記蓋部材４と作業用開口３周辺のいずれか一方には、他方に形成される受け部５にねじ込み可能な締め込み突部６が設けられ、  蓋部材４を装置筐体１にねじ込んで装着するように構成する。【選択図】  図２
2007201026.tif 000002
【特許請求の範囲】
【請求項１】
装置筐体内の素子装着部への作業用開口からの電磁波放出を該作業用開口を閉塞する蓋部材により防止する電子装置であって、
前記蓋部材と作業用開口周辺のいずれか一方には、他方に形成される受け部にねじ込み可能な締め込み突部が設けられ、
蓋部材を装置筐体にねじ込んで装着する電子装置。
【請求項２】
前記締め込み突部が螺条である請求項１記載の電子装置。
【請求項３】
前記受け部がネジ溝である請求項１または２記載の電子装置。
【請求項４】
前記作業用開口周縁と蓋部材にはねじ込み時に圧接する接触リング部が形成される請求項１、２または３記載の電子装置。
【発明の詳細な説明】
【技術分野】
【０００１】
本発明は電子装置に関するものである。
【背景技術】
【０００２】
外表面に配置される素子を電磁シールドした電子装置としては、特許文献１に記載のものが知られている。この従来例において、非接触メモリ（素子）は画像形成装置内にセットされて使用されるプロセスカートリッジの側壁部に固定されており、画像形成装置にプロセスカートリッジを装着した状態で所定の情報が蓄積される。
【０００３】
プロセスカートリッジには、内部のトナーの漏出を防止するためのトナーシールが貼り付けられており、搬送時、保管時等、画像形成装置にセットする前の状態で素子を静電破壊、あるいは外部電磁波から防御するために、素子は、トナーシールに形成されるアルミニウム層により覆われる。
【０００４】
しかし、この従来例においては、一旦トナーシールを剥離すると、以後素子のシールドは解除されるために、例えば、ノート型パソコンの増設メモリ等、ユーザにより複数回の着脱操作が想定される部位におけるシールド方法には採用できないという問題がある。
【０００５】
かかる問題は、例えば、素子を収容する収容部の開口を、導電性を有する材料により形成される蓋部材により閉塞することにより解決できる。この場合、蓋部材の装置筐体への固定は、ビス等を使用したねじ止めにより、あるいは装置筐体等に形成したスライドボタン等の固定手段により行われるが、前者においては、通常使用されるビスは小型のために、締結操作が面倒でかつ、ビスの紛失等が生じやすく、後者は可動部分を構成する必要が生じするために構造が複雑になるという問題がある。
【特許文献１】特開２０００-３３８７７８号公報
【発明の開示】
【発明が解決しようとする課題】
【０００６】
本発明は、以上の欠点を解消すべくなされたものであって、構造が簡単で、かつ、使い勝手も良好な上に、シールド性能に優れた電子装置の提供を目的とする。
【課題を解決するための手段】
【０００７】
電子装置は、増設メモリ等の素子を装着するための素子装着部２が配置される素子収容部８と、素子装着部２に装置筐体１から素子を脱着するための作業用開口３を閉塞する蓋部材４とを有する。
【０００８】
蓋部材４は、作業用開口３を閉塞するに十分な大きさを有しており、装置筐体１への装着は、蓋部材４と周辺のいずれか一方に形成された締め込み突部６を他方の受け部５にねじ込んで行われる。締め込み突部６は、螺条であっても、あるいは爪状の突起であってもよい。
【０００９】
受け部５は、締め込み突部６のねじ込み動作に対して蓋部材４を装置筐体１側に引き込むことができれば足り、種々の形状を採用できる。例えば、締め込み突部６が螺条として形成される場合には、受け部５は雌ネジ形状に形成したり、あるいは、作業用開口３を円形開口とし、作業用開口３の周縁壁を受け部５として螺条間の凹部に噛み込ませることができる。
【００１０】
さらに、締め込み突部６を爪状の突起として形成した場合には、受け部５は、突起のねじ込み動作に伴って突起を引き込むカム面により形成し、さらには雌ネジ形状に形成できる。
【００１１】
したがってこの発明において、蓋部材４自体を装置筐体１にねじ込んで装着するために、蓋部材４を装置筐体１に固定するためのねじ等が不要になる。蓋部材４はねじに比して容積が大きなために、紛失のおそれがない上に、ねじ込み操作も容易であり、操作性も向上する。
【００１２】
また、蓋部材４は装置筐体１にねじ込んで装着されるために、蓋部材４と装置筐体１との接触圧を確保することができる。この結果、蓋部材４と装置筐体１間の接触抵抗値が低くなるために、シールド性能が向上する。
【００１３】
さらに、締め込み突部６と受け部５とが雌雄ねじにより形成される場合には、作業用開口３と蓋部材４とは螺条に沿って全周に渡り接触、あるいは接近するために、シールド性能が向上し、ねじ山が複数形成される場合には、これら接触線等が複数段に渡って形成されるために、よりシールド性能の向上が期待できる。
【発明の効果】
【００１４】
本発明によれば、構造が簡単で、かつ、使い勝手も良好な上に、シールド性能も向上させることができる。
【発明を実施するための最良の形態】
【００１５】
図１にノート型パソコンとして構成された本発明の実施の形態を示す。ノート型パソコンは、本体部９にディスプレイ部１０を回転自在に連結して形成される。
【００１６】
図２に示すように、本体部９のケース（装置筐体１）内にはプリント基板１１が配置され、プリント基板１１とケース１底壁面との間にメモリ素子（素子１２）の素子収容部８が設定される。素子収容部８内に実装されたメモリ素子１２からのケース１外への電磁放射を防止するために、ケース１にはケース１自体を金属等の導電材料により形成することにより、あるいはケース１表面に導電性材料を貼付、コーティング等して導電性が付与される。
【００１７】
ユーザによるメモリ素子１２の増設、交換を可能にするために、プリント基板１１上にはカードコネクタ（素子装着部２）が固定され、さらにケース１には、上記カードコネクタ２への挿抜操作を行うための作業用開口３が開設される。作業用開口３は、メモリ素子１２の挿抜操作に支障のないように十分な大きさの円形孔として形成される。
【００１８】
この作業用開口３を閉塞するために、ケース１には蓋部材４が着脱可能に連結される。図２（ｂ）に示すように、蓋部材４を装着した際に蓋部材４の天面がケース１の一般面より突出しないように、作業用開口３の周縁部には、蓋部材４が嵌合可能な大きさで、かつ、蓋部材４の高さ寸法にほぼ一致する凹部１ａが形成され、凹部１ａ底壁に蓋部材４を連結するための締め込み突部６が形成される。この実施の形態において締め込み突部６は、作業用開口３の周縁から上方に突出する雄ねじ（螺条）として形成される。
【００１９】
蓋部材４は、平面視円形のキャップ状部材であり、適宜手段で導電性が付与される。この蓋部材４は、外周全周から裏面方向に突出する筒部を有し、該筒部の内周に上記雄ねじに螺合可能な雌ねじからなる受け部５が形成される。
【００２０】
図２（ｂ）に示すように、受け部５を形成する筒部は雄ねじ側の筒部に比して低背に形成されており、蓋部材４を完全に締め込んだ状態で、雄ねじ側の筒部の上端と受け部５側の筒部の基端には相互に圧接する接触リング部７が形成される。接触リング部７における接触抵抗を低減させるために、雄ねじ側筒部上端と、受け部５側筒部基端面は全周に渡って均一に接触する平滑面により形成するのが望ましい。
【００２１】
また、蓋部材４の天面には蓋部材４のねじ込み操作性を高めるために、コイン等を嵌合する嵌合スリット４ａが凹設される。
【００２２】
したがってこの実施の形態において、メモリ素子１２をカードコネクタ２に実装した後、蓋部材４を受け部５にねじ込んで作業用開口３を閉塞すると、蓋部材４とケース１とが電気的に接続され、作業用開口３からの電磁波放出が防止される。蓋部材４を完全に締め込んだ状態では、上下に積層されるねじ山が電磁波の放出開口を閉塞する上に接触リングにおいて全周に渡って電磁波の放出開口が閉塞されるために、高い電磁波放出防止性能を期待できる。
【００２３】
なお、図２（ｂ）においては、接触リング部７を雌ねじ側の上端に形成する場合を示したが、雌ねじが形成される筒部を長寸に形成し、雌ねじの基端に形成することもできる。また、図２（ｂ）においては、蓋部材４側に受け部５を形成する場合を示したが、図３に示すように、ケース１側に受け部５を形成することもできる。
【００２４】
さらに、図２において締め込み突部６は螺条として形成されているが、図３に示すように、爪状の突起として形成することができる。突起は図４（ｂ）に示すように、下端を外周方向に突出させて断面Ｌ字のフック形状をなし、円板状の主体部４ｂ裏面に垂下される。
【００２５】
一方、ケース１側には突起（締め込み突部６）が挿入可能な切欠１３とカム面１４とが形成される。カム面１４は図４（ａ）においてハッチングを施して示す扇面領域に形成され、切欠１３から離れるに従って漸次ケース１内方、すなわち厚肉化する斜面により形成される。
【００２６】
蓋部材４は切欠１３に突起６を挿通させた後、図３（ａ）において時計回りに回転させて行われ、蓋部材４の回転により、突起６はカム面１４からケース１内方への引き込み力を付与され、締め付け終了時において主体部４ｂに裏面と凹部１ａ表面に接触リング部７が形成される。
【００２７】
なお、図４（ａ）において１５は蓋部材４が締め付け位置に回転した際に突起６に弾性的に係止する小突部、１６は蓋部材４の締め付け解放方向のストローク規制ストッパである。
【図面の簡単な説明】
【００２８】
【図１】本発明が適用されたノート型パソコンを示す斜視図である。
【図２】本発明の要部を示す図で、（ａ）は装置筐体の裏面図、（ｂ）は（ａ）の２Ｂ-２Ｂ線断面図である。
【図３】図２の変形例を示す図２（ｂ）に対応する図である。
【図４】図２のさらに他の変形例を示す図で、（ａ）は（ｂ）の４Ａ方向矢視図、（ｂ）は（ａ）の４Ｂ-４Ｂ線断面図である。
【符号の説明】
【００２９】
１        装置筐体
２        素子装着部
３        作業用開口
４        蓋部材
５        受け部
６        締め込み突部
７        接触リング部
【図１】
2007201026.tif 000003
【図２】
2007201026.tif 000004
【図３】
2007201026.tif 000005
【図４】
2007201026.tif 000006